(57)【要約】【課題】コンテンツ作成者の側で閲覧者側の状況に応じた表示内容制限を行なうことのできるコンテンツを容易に作成することができるとともに、そのコンテンツに基づいて閲覧者側の状況に応じた表示内容制限を行なったコンテンツを提供する。【解決手段】表示内容制限を付すべき範囲を示す表示内容制限情報を伴ったコンテンツをクライアント側から受信するコンテンツ受信手段と、上記表示内容制限情報を取得し、該当箇所の表示・非表示を制御する表示内容制限用スクリプトコードを上記コンテンツに挿入して登録するスクリプトコード挿入・登録手段と、クライアント側からのコンテンツ閲覧要求に応じ、該当するコンテンツの上記表示内容制限用スクリプトコードに閲覧者に応じた閲覧制限情報を設定する設定手段と、上記表示内容制限用スクリプトコードを実行して表示用のコンテンツを生成し、表示用のコンテンツを要求元に提供するコンテンツ生成・提供手段とを備える。【選択図】図１
2009026013.tif 000002
【特許請求の範囲】
【請求項１】
表示内容制限を付すべき範囲を示す表示内容制限情報を伴ったコンテンツをクライアント側から受信するコンテンツ受信手段と、
上記表示内容制限情報を取得し、該当箇所の表示・非表示を制御する表示内容制限用スクリプトコードを上記コンテンツに挿入して登録するスクリプトコード挿入・登録手段と、
クライアント側からのコンテンツ閲覧要求に応じ、該当するコンテンツの上記表示内容制限用スクリプトコードに閲覧者に応じた閲覧制限情報を設定する設定手段と、
上記表示内容制限用スクリプトコードを実行して表示用のコンテンツを生成し、表示用のコンテンツを要求元に提供するコンテンツ生成・提供手段とを備えたことを特徴とするコンテンツ登録・提供装置。
【請求項２】
請求項１に記載のコンテンツ登録・提供装置において、
クライアントに表示内容制限情報を取得する表示内容制限範囲取得用スクリプトを埋め込んだコンテンツ生成用フォームを提供するフォーム提供手段を備えたことを特徴とするコンテンツ登録・提供装置。
【請求項３】
請求項２に記載のコンテンツ登録・提供装置において、
上記表示内容制限範囲取得用スクリプトは、マウスダウン時におけるページ内位置を表示内容制限範囲の開始位置として取得し、マウスアップ時におけるページ内位置を表示内容制限範囲の終了位置として取得することを特徴とするコンテンツ登録・提供装置。
【請求項４】
請求項１乃至３のいずれか一項に記載のコンテンツ登録・提供装置において、
上記設定手段は、ユーザＩＤと閲覧制御情報とを対応付けたユーザＤＢから閲覧者のユーザＩＤに基づいて対応する閲覧制御情報を取得して上記表示内容制限用スクリプトコードに設定を行うことを特徴とするコンテンツ登録・提供装置。
【請求項５】
請求項１乃至４のいずれか一項に記載のコンテンツ登録・提供装置において、
上記表示内容制限用スクリプトコードは、上記閲覧制限情報が有効である場合に所定範囲内のコンテンツ内容を表示用のコンテンツとして出力しないことを特徴とするコンテンツ登録・提供装置。
【請求項６】
表示内容制限を付すべき範囲を示す表示内容制限情報を伴ったコンテンツをクライアント側から受信するコンテンツ受信工程と、
上記表示内容制限情報を取得し、該当箇所の表示・非表示を制御する表示内容制限用スクリプトコードを上記コンテンツに挿入して登録するスクリプトコード挿入・登録工程と、
クライアント側からのコンテンツ閲覧要求に応じ、該当するコンテンツの上記表示内容制限用スクリプトコードに閲覧者に応じた閲覧制限情報を設定する設定工程と、
上記表示内容制限用スクリプトコードを実行して表示用のコンテンツを生成し、表示用のコンテンツを要求元に提供するコンテンツ生成・提供工程とを備えたことを特徴とするコンテンツ登録・提供制御方法。
【請求項７】
コンピュータを、
表示内容制限を付すべき範囲を示す表示内容制限情報を伴ったコンテンツをクライアント側から受信するコンテンツ受信手段、
上記表示内容制限情報を取得し、該当箇所の表示・非表示を制御する表示内容制限用スクリプトコードを上記コンテンツに挿入して登録するスクリプトコード挿入・登録手段、
クライアント側からのコンテンツ閲覧要求に応じ、該当するコンテンツの上記表示内容制限用スクリプトコードに閲覧者に応じた閲覧制限情報を設定する設定手段、
上記表示内容制限用スクリプトコードを実行して表示用のコンテンツを生成し、表示用のコンテンツを要求元に提供するコンテンツ生成・提供手段、
として機能させることを特徴とするコンテンツ登録・提供制御プログラム。
【発明の詳細な説明】
【技術分野】
【０００１】
本発明は、インターネットのＷｅｂページ等の部分的な閲覧制限を行う技術に関する。
【背景技術】
【０００２】
子供が有害なインターネットサイトにアクセスできないようにするための技術として、ペアレンタルコントロールと呼ばれるものが存在する。これは、予めサイト毎に内容を審査した上でレベル設定を行い、保護者の管理のもと、ユーザ（子供）がアクセスできる対象を所定のサイトに制限するものである。
【０００３】
なお、出願人は出願時点までに本発明に関連する公開された先行技術文献を発見することができなかった。よって、先行技術文献情報を開示していない。
【発明の開示】
【発明が解決しようとする課題】
【０００４】
上述したペアレンタルコントロールは事前にサイト毎に内容を審査した上でレベル設定を行う必要があるため、サービス提供者側の負担が重いという問題があった。
【０００５】
また、ペアレンタルコントロールは一般にＵＲＬ（Uniform Resource Locator）を単位に閲覧制限を行なうものであり、技術的にはページ単位で閲覧制限が行なえるが、内容の審査およびレベル設定の運用上の都合からサイト単位での閲覧制限とならざるを得ない場合が多い。従って、有害と判断されればサイト全体のページの閲覧が制限され、有害と判断されなければサイト全体のページの閲覧が自由に行なえることになる。
【０００６】
しかしながら、有害と判断されたサイトの中にも閲覧させてもよいページやページ内の部分があり、サイトを単位とした閲覧制限には行き過ぎの面がある。反対に、有害と判断されないサイトの中にも閲覧を制限すべきページやページ内の部分があり、それらを自由に閲覧させることには問題がある。
【０００７】
一方、昨今増加の一途をたどっているブログ（Ｗｅｂログ：日記風のサイト）については、数が膨大であるために内容の審査およびレベル設定が追い付かないおそれがあり、その結果、アクセスが全て制限される場合には行き過ぎた制限となり、アクセスが全て自由とされる場合も問題がある。
【０００８】
なお、子供の閲覧者に対するペアレンタルコントロールに限らず、所定範囲のユーザにのみ閲覧を許可するような一般的な閲覧制限についても同様の問題がある。
【０００９】
本発明は上記の従来の問題点に鑑み提案されたものであり、その目的とするところは、コンテンツ作成者の側で閲覧者側の状況に応じた表示内容制限を行なうことのできるコンテンツを容易に作成することができるとともに、そのコンテンツに基づいて閲覧者側の状況に応じた表示内容制限を行なったコンテンツを提供することのできるコンテンツ登録・提供装置、コンテンツ登録・提供制御方法、および、コンテンツ登録・提供制御プログラムを提供することにある。
【課題を解決するための手段】
【００１０】
上記の課題を解決するため、本発明にあっては、請求項１に記載されるように、表示内容制限を付すべき範囲を示す表示内容制限情報を伴ったコンテンツをクライアント側から受信するコンテンツ受信手段と、上記表示内容制限情報を取得し、該当箇所の表示・非表示を制御する表示内容制限用スクリプトコードを上記コンテンツに挿入して登録するスクリプトコード挿入・登録手段と、クライアント側からのコンテンツ閲覧要求に応じ、該当するコンテンツの上記表示内容制限用スクリプトコードに閲覧者に応じた閲覧制限情報を設定する設定手段と、上記表示内容制限用スクリプトコードを実行して表示用のコンテンツを生成し、表示用のコンテンツを要求元に提供するコンテンツ生成・提供手段とを備えるコンテンツ登録・提供装置を要旨としている。
【００１１】
また、請求項２に記載されるように、請求項１に記載のコンテンツ登録・提供装置において、クライアントに表示内容制限情報を取得する表示内容制限範囲取得用スクリプトを埋め込んだコンテンツ生成用フォームを提供するフォーム提供手段を備えるようにすることができる。
【００１２】
また、請求項３に記載されるように、請求項２に記載のコンテンツ登録・提供装置において、上記表示内容制限範囲取得用スクリプトは、マウスダウン時におけるページ内位置を表示内容制限範囲の開始位置として取得し、マウスアップ時におけるページ内位置を表示内容制限範囲の終了位置として取得するようにすることができる。
【００１３】
また、請求項４に記載されるように、請求項１乃至３のいずれか一項に記載のコンテンツ登録・提供装置において、上記設定手段は、ユーザＩＤと閲覧制御情報とを対応付けたユーザＤＢから閲覧者のユーザＩＤに基づいて対応する閲覧制御情報を取得して上記表示内容制限用スクリプトコードに設定を行うようにすることができる。
【００１４】
また、請求項５に記載されるように、請求項１乃至４のいずれか一項に記載のコンテンツ登録・提供装置において、上記表示内容制限用スクリプトコードは、上記閲覧制限情報が有効である場合に所定範囲内のコンテンツ内容を表示用のコンテンツとして出力しないようにすることができる。
【００１５】
また、請求項６に記載されるように、表示内容制限を付すべき範囲を示す表示内容制限情報を伴ったコンテンツをクライアント側から受信するコンテンツ受信工程と、上記表示内容制限情報を取得し、該当箇所の表示・非表示を制御する表示内容制限用スクリプトコードを上記コンテンツに挿入して登録するスクリプトコード挿入・登録工程と、クライアント側からのコンテンツ閲覧要求に応じ、該当するコンテンツの上記表示内容制限用スクリプトコードに閲覧者に応じた閲覧制限情報を設定する設定工程と、上記表示内容制限用スクリプトコードを実行して表示用のコンテンツを生成し、表示用のコンテンツを要求元に提供するコンテンツ生成・提供工程とを備えるコンテンツ登録・提供制御方法として構成することができる。
【００１６】
また、請求項７に記載されるように、コンピュータを、表示内容制限を付すべき範囲を示す表示内容制限情報を伴ったコンテンツをクライアント側から受信するコンテンツ受信手段、上記表示内容制限情報を取得し、該当箇所の表示・非表示を制御する表示内容制限用スクリプトコードを上記コンテンツに挿入して登録するスクリプトコード挿入・登録手段、クライアント側からのコンテンツ閲覧要求に応じ、該当するコンテンツの上記表示内容制限用スクリプトコードに閲覧者に応じた閲覧制限情報を設定する設定手段、上記表示内容制限用スクリプトコードを実行して表示用のコンテンツを生成し、表示用のコンテンツを要求元に提供するコンテンツ生成・提供手段、として機能させるコンテンツ登録・提供制御プログラムとして構成することができる。
【発明の効果】
【００１７】
本発明のコンテンツ登録・提供装置、コンテンツ登録・提供制御方法、および、コンテンツ登録・提供制御プログラムにあっては、コンテンツ作成者の側で閲覧者側の状況に応じた表示内容制限を行なうことのできるコンテンツを容易に作成することができるとともに、そのコンテンツに基づいて閲覧者側の状況に応じた表示内容制限を行なったコンテンツを提供することができる。
【発明を実施するための最良の形態】
【００１８】
以下、本発明の好適な実施形態につき説明する。なお、ペアレンタルコントロールに適用した場合について説明するが、所定範囲のユーザにのみ閲覧を許可するような一般的な閲覧制限についても適用することができる。
【００１９】
<システム構成>
図１は本発明の一実施形態にかかるシステムの構成例を示す図である。
【００２０】
図１において、インターネット等のネットワーク２には、複数のクライアント１Ａ、１Ｂ、・・・、コンテンツ登録・提供システム３が接続されている。
【００２１】
クライアント１Ａ、１Ｂ、・・・は、ユーザが操作するＰＣ（Personal Computer）、ＰＤＡ（Personal Digital Assistants）、携帯電話等の通信機器であり、Ｗｅｂページの閲覧が可能な一般的なＷｅｂブラウザを搭載している。
【００２２】
コンテンツ登録・提供システム３は、クライアント１Ａ、１Ｂ、・・・のユーザに対してコンテンツ登録およびコンテンツ閲覧の機能を提供するものであり、単一のサーバ装置もしくは複数のサーバ装置から構成され、その機能はソフトウェア（コンピュータプログラム）により実現される。
【００２３】
コンテンツ登録・提供システム３は、クライアント１Ａ、１Ｂ、・・・からコンテンツを受け取ってコンテンツＤＢ３２に登録を行なうコンテンツ登録部３１と、クライアント１Ａ、１Ｂ、・・・からコンテンツの閲覧要求を受けた場合、コンテンツＤＢ３２に登録された該当するコンテンツに対し、ユーザＤＢ３３の属性情報に基づいて所定の加工を行なって要求元のクライアント１Ａ、１Ｂ、・・・にコンテンツを配信するコンテンツ提供部３４とを備えている。
【００２４】
コンテンツ登録部３１は、クライアント１Ａ、１Ｂ、・・・に対してコンテンツ作成フォームを提供するコンテンツ作成フォーム提供部３１１と、クライアント１Ａ、１Ｂ、・・・から表示内容制限情報を伴ったコンテンツを受信するコンテンツ受信部３１２と、受信したコンテンツから表示内容制限情報を取得する表示内容制限情報取得部３１３とを備えている。また、コンテンツ登録部３１は、コンテンツから取得した表示内容制限情報に基づき、該当箇所の表示・非表示を制御する表示内容制限用スクリプトコードをコンテンツに挿入する表示内容制限用スクリプトコード挿入部３１４と、表示内容制限用スクリプトコードが挿入されたコンテンツをコンテンツＤＢ３２に登録するコンテンツ登録部３１５とを備えている。
【００２５】
コンテンツ提供部３４は、クライアント１Ａ、１Ｂ、・・・からコンテンツ閲覧要求を受信するコンテンツ閲覧要求受信部３４１と、コンテンツＤＢ３２に登録された該当するコンテンツの表示内容制限用スクリプトコードに閲覧者に応じた閲覧制限情報を設定する閲覧制限情報設定部３４２とを備えている。また、コンテンツ提供部３４は、コンテンツの表示内容制限用スクリプトコードを実行して表示用コンテンツを生成する表示内容制限用スクリプトコード実行部３４３と、生成された表示用コンテンツを要求元のクライアント１Ａ、１Ｂ、・・・に送信するコンテンツ送信部３４４とを備えている。
【００２６】
図２はコンテンツＤＢ３２のデータ構造例を示す図であり、コンテンツを識別する「コンテンツＩＤ」フィールド、ＨＴＭＬ（Hyper Text Markup Language）による「コンテンツデータ」フィールドとを含んでいる。
【００２７】
図３はユーザＤＢ３３のデータ構造例を示す図であり、ユーザを識別する「ユーザＩＤ」フィールドと、当該ユーザについてのペアレンタルコントロールの有無を示す「ペアレンタルコントロール有無」フィールドとを含んでいる。なお、所定範囲のユーザにのみ閲覧を許可するような一般的な閲覧制限の場合、「ペアレンタルコントロール有無」フィールドに代えて「アクセスコントロール」フィールドを設けることができる。「アクセスコントロール」フィールドとしては、例えば、コンテンツ作成者の友達リストに登録されているユーザＩＤについては閲覧を許可し、それ以外は閲覧を拒否するものとすることができる。
【００２８】
<動作>
図４はコンテンツ登録部３１の処理例を示すフローチャートである。
【００２９】
図４において、コンテンツ登録部３１のコンテンツ作成フォーム提供部３１１はクライアント１Ａ、１Ｂ、・・・からコンテンツ作成の要求を受けて処理を開始すると（ステップＳ１１）、要求元のクライアント１Ａ、１Ｂ、・・・に対してコンテンツ作成フォームを提供する（ステップＳ１２）。図５はコンテンツ作成フォームの例を示す図であり、図ではテキスト記入欄Ｔに文章の書き込みが行なわれ、写真画像Ｉ１、Ｉ２の貼り付けが行なわれた状態を示しているが、当初は書き込み・貼り付け等の行なわれていない初期状態のコンテンツ作成フォームＦを送信する。なお、コンテンツ作成フォームＦには、図６に示すように、ユーザ操作に基づく表示内容制限情報を取得するためのJavascript等で記述された表示内容制限範囲取得用スクリプトＳＣ１が埋め込まれている。
【００３０】
表示内容制限範囲取得用スクリプトＳＣ１は、次のような動作を行なう。
・第１行「Document.onMouseDown=startcontent」
マウスボタンが押されると、その時点のマウスポインタの位置（Ｘ方向位置、Ｙ方向位置）を引数で指定された変数に設定する関数「startcontent」を起動する。
・第２行「Document.onMouseUp=endtcontent」
マウスボタンが離されると、その時点のマウスポインタの位置（Ｘ方向位置、Ｙ方向位置）を引数で指定された変数に設定する関数「endtcontent」を起動する。
・第３行「Function startcontent(a){・・・return true}」
関数「startcontent」を定義し、引数に変数ａを指定する。
・第４行「Function endcontent(b){・・・return true}
関数「endcontent」を定義し、引数に変数ｂを指定する。
・第５行「<FORM METHOD=POST ACTION=sounyu.php>」
フォームを定義し、フォーム内に定義された変数をサーバプログラム「sounyu.php」に引き渡すことを指定する。
・第６行「<INPUT TYPE=hidden NAME=a.pageX>」
非表示の変数フィールドを定義し、変数名を「a.pageX」に指定する。
・第７行「<INPUT TYPE=hidden NAME=a.pageY>」
非表示の変数フィールドを定義し、変数名を「a.pageY」に指定する。
・第８行「<INPUT TYPE=hidden NAME=b.pageX>」
非表示の変数フィールドを定義し、変数名を「b.pageX」に指定する。
・第９行「<INPUT TYPE=hidden NAME=b.pageY>」
非表示の変数フィールドを定義し、変数名を「b.pageY」に指定する。
【００３１】
図４に戻り、コンテンツ作成フォームの提供（ステップＳ１２）を受けた後、ユーザはコンテンツ作成フォームに文章の書き込みもしくは写真画像の貼り付け等を行なうことによりコンテンツの作成を行なう。この際、閲覧者にペアレンタルコントロールが適用される場合に閲覧を制限すべき内容範囲につき、範囲を指定する操作を行なう。具体的には、図５において、「ペアレンタルコントロール」ボタンＢ１のクリックにより範囲指定操作を有効にし、テキスト記入欄Ｔにおいて範囲Ａの開始点でマウスダウンを行い終了点でマウスアップを行なうことにより範囲を指定する。また、写真画像Ｉ２についても同様に指定する。コンテンツの作成が完了した場合、ユーザは「アップロード」ボタンＢ２をクリックすることで、作成したコンテンツをコンテンツ登録・提供システム３に送信する。この際、表示内容制限範囲取得用スクリプトにより取得された表示内容制限範囲情報もコンテンツに伴ってコンテンツ登録・提供システム３に送信される。
【００３２】
図４に戻り、ユーザがコンテンツのアップロードを行ない、これをコンテンツ登録部３１のコンテンツ受信部３１２が受信すると（ステップＳ１３）、表示内容制限情報取得部３１３はコンテンツに含まれる表示内容制限情報を取得する（ステップＳ１４）。
【００３３】
次いで、表示内容制限用スクリプトコード挿入部３１４は表示内容制限があるか否か判断し（ステップＳ１５）、表示内容制限がある場合（ステップＳ１５のＹｅｓ）には表示内容制限用スクリプトコードをコンテンツに挿入する（ステップＳ１６）。表示内容制限がない場合（ステップＳ１５のＮｏ）、表示内容制限用スクリプトコードの挿入は行なわない。
【００３４】
図７は表示内容制限用スクリプトコードを挿入したコンテンツの例を示す図であり、記述Ｄ１〜Ｄ３から表示内容制限用スクリプトコードＳＣ２が構成され、記述Ｄ２と記述Ｄ３とで表示内容を制限するコンテンツの部分を挟むものである。各記述Ｄ１〜Ｄ３は次のような意味を持っている。
・記述Ｄ１「$ParentalControls=xxx」
変数「ParentalControls」を定義する。なお、この時点では無効な値（図では「xxx」としているがこれに限られない）を設定しておく。
・記述Ｄ２「If(ParentalControls !="ON"」
変数「ParentalControls」の値が「ON」でない場合に続く行を有効とする。
・記述Ｄ３「?>」
記述Ｄ２の適用される終端を示す。
【００３５】
図４に戻り、コンテンツ登録部３１５はコンテンツをコンテンツＤＢ３２に登録し（ステップＳ１７）、処理を終了する（ステップＳ１８）。
【００３６】
図８はコンテンツ提供部３４の処理例を示すフローチャートである。
【００３７】
図８において、コンテンツ提供部３４のコンテンツ閲覧要求受信部３４１がクライアント１Ａ、１Ｂ、・・・からコンテンツ閲覧要求を受信して処理を開始すると（ステップＳ２１、Ｓ２２）、閲覧制限情報設定部３４２は該当するコンテンツに表示内容制限用スクリプトコードが含まれているか否か判断する（ステップＳ２３）。
【００３８】
コンテンツに表示内容制限用スクリプトコードが含まれている場合（ステップＳ２３のＹｅｓ）、閲覧制限情報設定部３４２は閲覧要求してきたユーザＩＤに基づきユーザＤＢ３３を参照してペアレンタルコントロール有無の閲覧制限情報を取得し、コンテンツの表示内容制限用スクリプトコードに設定する（ステップＳ２４）。具体的には、図７の記述Ｄ１の「xxx」部分に「"ON"」もしくは「"OFF"」を設定する。
【００３９】
次いで、図８において、表示内容制限用スクリプトコード実行部３４３はコンテンツの表示内容制限用スクリプトコードを実行し（ステップＳ２５）、表示用のコンテンツを生成する。図７の例では、記述Ｄ１が「$ParentalControls="ON"」の場合、記述Ｄ２と記述Ｄ３とで挟まれた部分の文章等が除去されたコンテンツが生成され、記述Ｄ１が「$ParentalControls="OFF"」の場合、記述Ｄ２と記述Ｄ３とで挟まれた部分の文章等がそのまま反映されたコンテンツが生成される。
【００４０】
図８において、コンテンツに表示内容制限用スクリプトコードが含まれていない場合（ステップＳ２３のＮｏ）、上述した加工は行われない。
【００４１】
次いで、コンテンツ送信部３４４はコンテンツを要求元のクライアント１Ａ、１Ｂ、・・・に送信し（ステップＳ２６）、処理を終了する（ステップＳ２７）。
【００４２】
図９は表示内容制限用スクリプトコードの実行により生成されるコンテンツの例を示す図であり、（ａ）はペアレンタルコントロールが有効であるために予め指定された範囲の文章や写真画像が除去されたコンテンツを示し、（ｂ）はペアレンタルコントロールが無効であるために予め指定された範囲の文章や写真画像がそのまま含まれたコンテンツを示している。
【００４３】
<総括>
以上説明したように、本発明の実施形態によれば次のような利点がある。
（１）閲覧制限のための人的作業をコンテンツ作成者に委ねられるため、サービス提供者側の負担が軽減される。
（２）閲覧制限をページ内の部分に限定できるため、必要十分な範囲での閲覧制限を行なうことができる。
（３）膨大な数のブログについても適切な閲覧制限を行なうことができる。
【００４４】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４５】
【図１】本発明の一実施形態にかかるシステムの構成例を示す図である。
【図２】コンテンツＤＢのデータ構造例を示す図である。
【図３】ユーザＤＢのデータ構造例を示す図である。
【図４】コンテンツ登録部の処理例を示すフローチャートである。
【図５】コンテンツ作成フォームの例を示す図である。
【図６】コンテンツ作成画面表示ファイルに組み込まれた表示内容制限範囲取得用スクリプトの例を示す図である。
【図７】表示内容制限用スクリプトコードを挿入したコンテンツの例を示す図である。
【図８】コンテンツ提供部の処理例を示すフローチャートである。
【図９】表示内容制限用スクリプトコードの実行により生成されるコンテンツの例を示す図である。
【符号の説明】
【００４６】
１Ａ、１Ｂ    クライアント
２            ネットワーク
３            コンテンツ登録・提供システム
３１          コンテンツ登録部
３１１        コンテンツ作成フォーム提供部
３１２        コンテンツ受信部
３１３        表示内容制限情報取得部
３１４        表示内容制限用スクリプトコード挿入部
３１５        コンテンツ登録部
３２          コンテンツＤＢ
３３          ユーザＤＢ
３４          コンテンツ提供部
３４１        コンテンツ閲覧要求受信部
３４２        閲覧制限情報設定部
３４３        表示内容制限用スクリプトコード実行部
３４４        コンテンツ送信部
【図１】
2009026013.tif 000003
【図２】
2009026013.tif 000004
【図３】
2009026013.tif 000005
【図４】
2009026013.tif 000006
【図５】
2009026013.tif 000007
【図６】
2009026013.tif 000008
【図７】
2009026013.tif 000009
【図８】
2009026013.tif 000010
【図９】
2009026013.tif 000011